(57)【要約】      （修正有）【課題】デザイン上の制限を受けることなく、ワイヤー部材による肌当たりを緩和できるカップ部付き衣類を提供する。【解決手段】表布１Ａと肌布１Ｂとの間にクッション部材１Ｃが配置されて構成された左右一対のカップ部１を備えたカップ部付き衣類であって、カップ部の下縁部近傍に沿ってクッション部材１Ｃ中に樹脂製長尺状の補強支持部材５Ａを介装する。【選択図】図２
0003208876.tif 000002
【実用新案登録請求の範囲】
【請求項１】
表布と肌布との間にクッション部材が配置されて構成された左右一対のカップ部を備えたカップ部付き衣類であって、
前記カップ部の下縁部近傍に沿って前記クッション部材中に樹脂製長尺状の補強支持部材が介装されていることを特徴とするカップ部付き衣類。
【請求項２】
前記樹脂製長尺状の補強支持部材が、略矩形形状をしたシート状であることを特徴とする請求項１記載のカップ部付き衣類。
【請求項３】
前記樹脂製長尺状の補強支持部材が、断面視、前記表布側に凸状に湾曲したシート状であることを特徴とする請求項１記載のカップ部付き衣類。
【請求項４】
前記樹脂製長尺状の補強支持部材が、断面視、三日月形状で、表層部が弾性に富む硬質部材からなり、内部が柔らかな軟質部材からなり、前記表布側に凸状に湾曲した形状になっていることを特徴とする請求項１記載のカップ部付き衣類。
【考案の詳細な説明】
【技術分野】
【０００１】
本考案は、見た目に美しく、しかも付け心地の良いカップ部付き衣類に関する。
【背景技術】
【０００２】
ブラジャーに代表されるカップ部付き衣類は、例えばバストを覆うためのカップ部、カップ部の下縁部を支持する土台部、土台部から背面側に延びるバック部、及びカップ部に連結されるストラップ部などを備えて構成されている。このようなカップ部付き衣類では、バストアップ等の造形効果を高める観点から、カップ部の下縁に沿ってワイヤー部材を配置したものが考案されている。一方、ワイヤー部材は、着用者への肌当たりが課題となっており、着用時の締付感や違和感を緩和する必要があった。
【０００３】
このような課題に対し、例えば下記の特許文献１に記載のカップ部を有する衣類では、ワイヤー部材を封入したワイヤーループをカップ部の下縁において表布と肌布との間に配置し、ワイヤーループの上縁を表布のみに縫着し、ワイヤーループの下縁を表布及び肌布の双方に縫着したものが開示されている。
【０００４】
［考案が解決しようとする課題］
ワイヤーループの配置構成としては、着用時の締付感や違和感を緩和する意味からすれば、表布よりも外側に配置することも考えられる。しかしながら、ワイヤーループを表布よりも外側に配置する場合、カップ部付き衣類の表側にワイヤーループの少なくとも一部が露出してしまい、デザイン上の制限を受けてしまうといった課題があった。
また、上記した特許文献１に記載のカップ部を有する衣類のように、ワイヤーループを表布と肌布との間に配置する場合でも、着用者へのワイヤー部材の肌当たりを更にマイルドなものにできる構成が望まれていた。
【先行技術文献】
【特許文献】
【０００５】
【特許文献１】特許第４５５０９６８号公報
【考案の概要】
【課題を解決するための手段及びその効果】
【０００６】
本考案は上記課題に鑑みなされたものであって、デザイン上の制限を受けることなく、ワイヤー部材による肌当たりを緩和できるカップ部付き衣類を提供することを目的としている。
【０００７】
上記目的を達成するために、本考案に係るカップ部付き衣類（１）は、表布と肌布との間にクッション部材が配置されて構成された左右一対のカップ部を備えたカップ部付き衣類であって、
前記カップ部の下縁部近傍に沿って前記クッション部材中に樹脂製長尺状の補強支持部材が介装されていることを特徴としている。
【０００８】
上記カップ部付き衣類（１）によれば、従来のワイヤー部材に相当する前記補強支持部材が前記クッション部材と前記表布及び前記肌布に覆われ、外部からは見えない構造になっているので、デザイン上の制限を受けることがなくなり、最も望ましい個所に自在に前記補強支持部材を配置することができる。
また、前記補強支持部材は樹脂製長尺状であるため、ワイヤー部材と異なり柔軟性を有しており、しかも肌当たり面積が大きくなることから、肌当たりがずっとマイルドになり、さらに肌との間には肌布のみならず前記クッション部材も介在しているため、より一層肌あたりをソフトなものにすることができる。
【０００９】
また、本考案に係るカップ部付き衣類（２）は、上記カップ部付き衣類（１）において、前記樹脂製長尺状の補強支持部材が、略矩形形状をしたシート状であることを特徴としている。
【００１０】
上記カップ部付き衣類（２）によれば、前記補強支持部材が、略矩形形状をしたシート状であるため、柔軟性に富み、前記カップ部の下縁部近傍に沿って、前記クッション部材中に配置しやすく、製造工程を容易なものとすることができる。
【００１１】
また、本考案に係るカップ部付き衣類（３）は、上記カップ部付き衣類（１）において、前記樹脂製長尺状の補強支持部材が、断面視、前記表布側に凸状に湾曲したシート状になっていることを特徴としている。
【００１２】
上記カップ部付き衣類（３）によれば、前記補強支持部材が、断面視、前記表布側に凸状に湾曲したシート状になっているため、バストによりフィットする形状となり、装着者への肌あたり感をより一層ソフトなものにすることができる。
【００１３】
また、本考案に係るカップ部付き衣類（４）は、上記カップ部付き衣類（１）において、前記樹脂製長尺状の補強支持部材が、断面視、三日月形状で、表層部が弾性に富む硬質部材からなり、内部が柔らかな軟質部材からなり、前記表布側に凸状に湾曲した形状になっていることを特徴としている。
【００１４】
上記カップ部付き衣類（４）によれば、前記補強支持部材によるバスト支持力が向上し、バストアップ等の造形効果をより一層しっかりしたものとすることができながら、バストに、よりフィットする形状にでき、装着者への肌あたり感をより一層ソフトなものにすることができる。
【図面の簡単な説明】
【００１５】
【図１】本考案に係るカップ部付き衣類の第１の実施の形態を示す正面図である。
【図２】図１におけるＩＩ−ＩＩ線断面図である。
【図３】本考案に係るカップ部付き衣類の第２の実施の形態における補強支持部材          を示す断面図である。
【図４】本考案に係るカップ部付き衣類の第３の実施の形態における補強支持部材          を示す断面図である。
【考案を実施するための形態】
【００１６】
以下、本考案のカップ部付き衣類に係る実施の形態を図面に基づいて説明する。
［第１の実施の形態］
【００１７】
図１は、本考案に係るカップ部付き衣類の第１の実施の形態を示す正面図であり、Ａは女性用のブラジャーとしてのカップ部付き衣類を示しており、このカップ部付き衣類Ａは、左右一対のカップ部１と、カップ部１の下縁部１ｃの両脇からそれぞれ延設されて背面側に至るバック部２と、カップ部１の上縁部１ａの両脇からそれぞれバック部２へと繋がるストラップ部３とを含んで構成されている。
【００１８】
カップ部１は、着用者のバストの形状に合うように椀形状となっており、左右のカップ部１は、前中心側で接して互いに縫着され、あるいは縫着されることなく一体化が図られている。カップ部１は、表布１Ａと肌布１Ｂとを備え、これら表布１Ａと肌布１Ｂとの間には、発泡ポリウレタンなどの一定の保形性及び弾力性を有する素材によって形成されたクッション部材１Ｃが介装されている。表布１Ａと肌布１Ｂとは、例えば合成繊維や天然繊維の織物・編物といった素材を用いて形成されている。
【００１９】
カップ部１の上縁部１ａは、バストの上部に沿うように上向きに湾曲した形状となっている。また、カップ部１の脇側部１ｂは、腕の動きを阻害することが無いように中心側に向かって緩やかに凹状に湾曲しており、カップ部１の下縁部１ｃは、バストのバージスラインに沿って下向き凸条に湾曲した形状となっている。
【００２０】
カップ部１の下縁部１ｃ近傍に沿って、クッション部材１Ｃ中の厚さ方向中間位置に樹脂製長尺状の補強支持部材５Ａが介装されている。補強支持部材５Ａは、略矩形形状をしたシート状に、ポリ塩化ビニールなどの弾性を有する柔軟な樹脂を用いて形成されている。補強支持部材５Ａの縦断面形状は図２に示したように、薄片状の矩形形状をしている。
【００２１】
バック部２は、パワーネットなどの伸縮性を有する素材によって形成されており、バック部２の基端側は、カップ部１の脇部から連続し、背面側に向かって帯状に延設されている。バック部２における背側の端部には、ホック２Ａが設けられている。このホック２Ａにより、左右のバック部２が互いに係脱自在となっている。
【００２２】
ストラップ部３は、織物のような布地を紐状に成形、縫製して形成されている。ストラップ部３に用いられる織物等の素材は、長手方向に伸縮性を有していることが望ましい。ストラップ部３は、カップ部１とバック部２との間に掛け渡され、いわゆる肩紐を構成している。ストラップ部３の一端は、正面側でカップ部１の脇側上端部に連結され、ストラップ部３の他端は、背面側でバック部２の長さ方向中間位置の上縁部に連結されている。
【００２３】
以上説明したように、カップ部付き衣類Ａでは、従来のワイヤー部材に相当する補強支持部材５Ａがクッション部材１Ｃと表布１Ａ及び肌布１Ｂに覆われ、外部からは見えない構造になっているので、デザイン上の制限を受けることがなくなり、最も望ましい個所に自在に補強支持部材５Ａを配置することができる。これにより、着用状態において補強支持部材５Ａを装着者のバストのバージスラインに沿わせ易くなり、補強支持部材５Ａの肌当たりを緩和できる。
また、補強支持部材５Ａは樹脂製長尺状であるため、ワイヤー部材と異なり柔軟性を有しており、しかも肌当たり面積が大きくなることから、肌当たりがずっとマイルドになり、さらに肌との間には肌布１Ｂのみならずクッション部材１Ｃも介在しているため、より一層肌あたりをソフトなものにすることができる。
【００２４】
また、樹脂製長尺状の補強支持部材５Ａが、略矩形形状をしたシート状であることから、補強支持部材５Ａは柔軟性に富み、カップ部１の下縁部近傍に沿って、クッション部材１Ｃ中に配置しやすく、製造工程を容易なものとすることができる。
【００２５】
図３は、本考案に係るカップ部付き衣類の第２の実施の形態における補強支持部材５Ｂを示す断面図である。
第２の実施の形態における樹脂製長尺状の補強支持部材５Ｂは、断面視、表布１Ａ側に凸状に湾曲したシート状になっている。
【００２６】
第２の実施の形態に係るカップ部付き衣類によれば、補強支持部材５Ｂが、断面視、表布１Ａ側に凸状に湾曲したシート状になっているため、バストに、よりフィットする形状となり、装着者への肌あたり感をより一層ソフトなものにすることができる。
【００２７】
図４は、本考案に係るカップ部付き衣類の第３の実施の形態における補強支持部材５Ｃを示す断面図である。
第３の実施の形態における樹脂製長尺状の補強支持部材５Ｃは、断面視、三日月形状で、表層部が弾性に富む硬質部材からなり、内部が柔らかな軟質部材からなり、表布１Ａ側に凸状に湾曲した形状になっている。
【００２８】
第３の実施の形態に係るカップ部付き衣類によれば、補強支持部材５Ｃによるバスト支持力が向上し、バストアップ等の造形効果をより一層しっかりしたものとすることができながら、バストに、よりフィットする形状にでき、装着者への肌あたり感をより一層ソフトなものにすることができる。
【００２９】
本考案は、上記実施の形態に限られるものではなく、上記実施の形態では、カップ部付き衣類としてブラジャーを例に挙げて説明したが、本考案が適用されるカップ部付き衣類としては、ブラジャーの他に、ブラスリップ、ブラキャミソール、ボディスーツなどのファンデーション衣類、水着、レオタードなどを挙げることができる。
【符号の説明】
【００３０】
１              カップ部
１Ａ            表布
１Ｂ            肌布
１Ｃ            クッション部材
１a             上縁部
１ｂ            脇側部
１ｃ            下縁部
２              バック部
３              ストラップ部
５Ａ、５Ｂ、５Ｃ  補強支持部材
Ａ              カップ部付き衣類    
【図１】
0003208876.tif 000003
【図２】
0003208876.tif 000004
【図３】
0003208876.tif 000005
【図４】
0003208876.tif 000006